(57)【要約】【課題】  テレビジョン放送の映像と個人的に必要な画像とを、操作の負担無く同時に表示可能とする。【解決手段】  テレビジョン情報表示システム１では、テレビ受像機２とコンピュータ３とをＵＳＢライン６などの双方向の信号線で接続し、ＰｉｎＰ機能などを利用して、ＥＰＧ情報や新着情報などを、表示パネル１３の一部に合成し、表示する位置や大きさは適時変更することができる。ＰｉｎＰ表示に関しては、コンピュータ３側からテレビ受像機２に対して、ＰｉｎＰ領域、あるいは透明色と透過度を表すアルファ（α）値を指示する。テレビ受像機２側からコンピュータ３側には、電源のＯＮ／ＯＦＦ時やチャネル変更時に表示チャネルの情報を送信し、コンピュータ３側で視聴履歴を残すようにする。このような視聴履歴は、おすすめ番組紹介の際などに利用することができる。【選択図】      図１
2006333101.tif 000002
【特許請求の範囲】
【請求項１】
テレビジョン放送を受信して、放送される番組の映像情報を視聴しながら、外部から入力される画像情報を、映像情報の表示画面表示可能なテレビジョン情報表示装置と、
情報通信ネットワークを介して情報の収集が可能な情報処理装置と、
テレビジョン情報表示装置および情報処理装置を双方向の情報通信が可能な状態で接続する通信手段とを含み、
テレビジョン情報表示装置は、情報処理装置が表示すべき情報についての指示を、通信手段を介して情報処理装置に対して送信し、
情報処理装置は、情報通信ネットワークから情報を収集し、収集した情報に基づく画像情報を生成し、生成した画像情報をテレビジョン情報表示装置に与えて、通信手段を介して受信する指示に従って、表示画面に表示させることを特徴とするテレビジョン情報表示システム。
【請求項２】
前記指示は、前記テレビジョン情報表示装置が受信中のテレビジョン放送の番組に関連する情報の表示指示であり、該番組を識別するチャネル情報が送信されることを特徴とする請求項１記載のテレビジョン情報表示システム。
【請求項３】
前記情報処理装置は、前記テレビジョン情報表示装置から送信されるチャネル情報に対応する番組の視聴が維持されている条件で、前記画像情報の生成を行うことを特徴とする請求項２記載のテレビジョン情報表示システム。
【請求項４】
前記通信手段は、
前記テレビジョン情報表示装置と前記情報処理装置との間を接続して、双方向での情報通信が可能な双方向通信手段と、
情報処理装置が生成する画像情報を、テレビジョン情報表示装置に転送する画像画像転送手段とを含むことを特徴とする請求項１〜３のいずれか１つに記載のテレビジョン情報表示システム。
【請求項５】
前記テレビジョン情報表示装置は、前記情報処理装置を起動するための入力操作を受付可能であり、
情報処理装置は、休止状態で前記通信手段に接続され、
テレビジョン情報表示装置が情報処理装置を起動する入力操作を受付けると、
テレビジョン情報表示装置は、通信手段を介して、情報処理装置を再起動することを特徴とする請求項１〜４のいずれか１つに記載のテレビジョン情報表示システム。
【請求項６】
前記情報処理装置は、前記通信手段を介して、前記テレビジョン情報表示装置の表示画面に表示される画像情報の表示領域の位置、大きさ、形状、表示領域での映像情報との重なり状態のいずれかを変更することを特徴とする請求項１〜５のいずれか１つに記載のテレビジョン情報表示システム。
【請求項７】
前記情報処理装置は、前記テレビジョン情報表示装置で受信中のテレビジョン放送の番組の種別に応じて、前記画像情報の表示領域を変更することを特徴とする請求項６記載のテレビジョン情報表示システム。
【請求項８】
請求項１〜７のいずれか１つに記載の情報処理装置として、コンピュータを機能させるためのプログラム。
【請求項９】
テレビジョン放送を受信して、放送される番組の映像情報を視聴しながら、外部の情報処理装置が生成する画像情報を、映像情報の表示画面に表示可能なテレビジョン情報表示装置において、
情報処理装置と双方向の情報通信が可能な通信手段と、
生成すべき画像情報についての指示を、通信手段を介して情報処理装置に対して送信する指示送信手段と、
前記指示に基づいて情報処理装置が生成する画像情報を、受信中のテレビジョン放送の映像情報を表示している表示画面上に表示する情報表示手段とを、
含むことを特徴とするテレビジョン情報表示装置。
【請求項１０】
前記指示は、前記映像情報を視聴中のテレビジョン放送の番組に関連する情報の表示指示であり、
前記指示送信手段は、該番組を識別するチャネル情報を送信することを特徴とする請求項９記載のテレビジョン情報表示装置。
【請求項１１】
前記通信手段は、
前記情報処理装置との間に接続される双方向通信手段と、
前記画像情報を、情報処理装置から入力するために設けられる画像入力手段とを含み、
前記情報表示手段は、双方向通信手段を介して情報処理装置から与えられる指示に基づいて、前記画像入力手段から入力される画像情報を前記表示画面上に表示することを特徴とする請求項９または１０のいずれかに記載のテレビジョン情報表示装置。
【請求項１２】
前記情報表示手段は、前記映像情報と前記画像情報との２つの情報を、いずれか一方である親画面の表示中に他方を子画面として表示するＰｉｎＰ表示と、該２つの情報を並べて表示する分割表示とを、前記情報処理装置から与えられる指示に基づいて、選択可能であることを特徴とする請求項１１記載のテレビジョン情報表示装置。
【請求項１３】
前記情報表示手段は、
前記情報処理装置から与えられる指示に基づいて、前記表示画面上での前記画像情報の表示領域の位置および形状を変更可能であり、
前記ＰｉｎＰ表示では、前記子画面を前記親画面中に表示する領域での重なり状態を変更可能であることを特徴とする請求項１２記載のテレビジョン情報表示装置。
【請求項１４】
前記情報処理装置を起動する起動指示の入力操作が可能な入力手段をさらに含み、
前記通信手段には、休止状態の情報処理装置を接続可能であり、
入力手段に起動指示の入力操作が行われると、通信手段を介して休止状態の情報処理装置を再起動させることを特徴とする請求項９〜１３のいずれか１つに記載のテレビジョン情報表示装置。
【請求項１５】
前記情報処理装置へ与える指示も併せて、入力操作が可能なリモコン装置から送信される情報を受信可能で、情報処理装置へ与える指示が受信されると、前記通信手段を介して情報処理装置へ送信するリモコン受信手段を、さらに含むことを特徴とする請求項９〜１４のいずれか１つに記載のテレビジョン情報表示装置。
【請求項１６】
テレビジョン放送を受信して、放送される番組の映像情報を視聴しながら、外部の情報処理装置が生成する画像情報を映像情報の表示画面に表示可能なテレビジョン情報表示装置を、遠隔的に操作可能なリモコン装置において、
テレビジョン情報表示装置への操作と、情報処理装置への操作とを、共通の操作で受付ける入力手段と、
入力手段が受付ける操作がテレビジョン情報表示装置への操作であるか、情報処理装置への操作であるかを切換え可能な、切換手段と、
操作入力手段が受付ける操作に対応する操作情報を、テレビジョン情報表示装置に送信する送信手段であって、
切換手段によって、操作入力手段が受付ける共通の操作がテレビジョン情報表示装置への操作であるように切換えられている間は、操作入力手段に受付ける入力操作に応答して、テレビジョン情報表示装置を操作するための予め定める範囲の操作コードを、
切換手段によって、操作入力手段が受付ける共通の操作が情報処理装置への操作であるように切換えられている間は、操作手段に受付ける入力操作に応答して、該予め定める範囲外の操作コードを、
それぞれ送信する送信手段とを含むことを特徴とするリモコン装置。
【発明の詳細な説明】
【技術分野】
【０００１】
本発明は、テレビジョン放送の映像とパーソナルコンピュータ（以下、「ＰＣ］と略称する。）などの外部の情報処理装置からの画像とを、ピクチャーインピクチャー（以下、「ＰｉｎＰ」と略称する。）機能などにより、併せて表示するテレビジョン情報表示システムおよび装置ならびにリモコン装置に関する。
【背景技術】
【０００２】
従来から、テレビジョン放送は、公共性があり、多くの視聴者に満足してもらうことを目的に番組が制作されている。しかしながら、視聴者個人は、放送されている番組の情報内容とともに、それぞれ独自の情報を欲するものである。今日では、たとえばインターネットなどの情報通信ネットワークを介して種々の情報が提供され、各個人が選択可能になっている。そのような情報の選択や取得は、ＰＣなどの通信機能を備える情報処理装置や携帯電話機などの情報端末を介して行われる。ＰＣや携帯電話機には、テレビジョン受信機能を設け、独自に収集したり生成する情報と、テレビジョン放送で提供される情報とを、両方とも提供可能にしているものがある。両方の情報は、切替えて提供したり、ＰｉｎＰ機能などで同時に提供したりすることができる。
【０００３】
テレビジョン受像機にも、ＰｉｎＰ機能が設けられるものがある。ＰｉｎＰ機能を設けておけば、テレビジョン放送を受信して映像を表示しながら、別の放送局のテレビジョン映像、あるいは外部から入力される画像情報を、映像の表示画面内に設ける窓内に表示することができる。外部から入力される画像情報として、ＰＣから出力される画像情報を、アナログＲＧＢあるいはＤＶＩ（Digital Visual Interface）などを介してテレビジョン受像機に送り、ＰｉＰ機能で表示させるピクチャーインピクチャー・システムが知られている（たとえば、特許文献１参照）。ＰＣ等の制御機器と、テレビジョン受像機等のＡＶ機器と、通信回線との通信機能を有する通信機器とを、ＩＥＥＥ１３９４等のディジタルバスを介して相互に接続し、制御機器が表示機能と通信機能とを制御するディジタルＡＶシステムも知られている（たとえば、特許文献２参照）。
【０００４】
ＰＣの表示装置としてのディスプレイに、テレビジョン放送受信用のＴＶチューナを内蔵させ、操作用のキーボードやマウスを接続し、さらに双方向のＵＳＢ（Universal
Serial Bus）回線とビデオ信号線とを介してＰＣに接続する表示装置も知られている（たとえば、特許文献３参照）。ＰｉｎＰ機能は、ＵＳＢ回線を介してディスプレイからＰＣにビデオ信号を送り、ＰＣのプログラム処理で生成される画像を、ビデオ信号線を介してＰＣからディスプレイに戻して実現される。
【０００５】
ＰｉｎＰ機能を有するＰＣなどで、ＰｉｎＰの表示位置などをマウスやキーの操作などに基づいて変更する技術も知られている（たとえば、特許文献４，５参照）。ＰｉｎＰの表示位置を、ＰｉｎＰ表示の背景となる画像に基づいて変更する技術も知られている（たとえば、特許文献６、７参照）。ＰｉｎＰ機能を有するディスプレイ装置とＰＣとをビデオ信号線と、双方向のシリアル通信線とで接続し、ＰＣからＰｉｎＰの窓内で表示する画像情報の供給とＰｉｎＰ表示に関する制御とを行う技術も知られている（たとえば、特許文献８、９、１０参照）。
【０００６】
【特許文献１】特開平５−２０７３９４号公報
【特許文献２】特開平９−２６１３６４号公報
【特許文献３】特開２００２−３４４８３５号公報
【特許文献４】特開平１１−２０５６７０号公報
【特許文献５】特開２００４−５２９５３５号公報
【特許文献６】特開２００４−５１６７２２号公報
【特許文献７】特開２００１−１８８５２５号公報
【特許文献８】特開平６−２３６３３９号公報
【特許文献９】国際公開第９９／２６１３１号パンフレット
【特許文献１０】特開平７−１６８５４７号公報
【発明の開示】
【発明が解決しようとする課題】
【０００７】
家庭などでテレビジョン放送を視聴する場合、比較的大画面の表示装置を用い、画面から離れて、寛いだ姿勢をとることが多い。テレビジョン放送受信用に製造されているテレビジョン受像機では、操作なども簡単であることが要求される。ＰＣでは、高度な情報処理のアプリケーションを可能にするために、精細な画面表示で、比較的近距離で多くの操作を伴うことが多い。テレビジョン受像機にＰＣの機能を内蔵させることは可能であるけれども、そのようなテレビジョン受像機用の入力操作の機能では、高度な情報処理のアプリケーションを実行させることが困難である。しかしながら、特許文献４〜７に開示されているような構成では、個人的に必要とする情報などを、ＰｉｎＰ機能を利用して、テレビジョン放送の映像と同時に表示させることはできない。
【０００８】
ＰＣ等の側に、テレビジョン放送受信の機能を内蔵させた場合、あるいは特許文献１〜３，８〜１０のように、ＰＣ側でＰｉｎＰ表示の制御を行う構成では、テレビジョン放送の視聴中にＰＣに対する操作が必要となる。前述のように、テレビジョン放送の視聴とＰＣの使用とは、基本的な性格が異なるので、設置場所も、テレビジョン受像機は家族の居間など、ＰＣは個人の個室などと別れることが多い。ＰｉｎＰ表示の変更などにＰＣの操作を必要とすると、場所の移動など、寛いだ姿勢でテレビジョン放送を視聴したい利用者に、負担を強いてしまう。
【０００９】
本発明の目的は、テレビジョン放送の映像と個人的に必要な通信ネットワークから得られる情報とを、操作の負担無く同時に表示可能なテレビジョン情報表示システムおよび装置ならびにリモコン装置を提供することである。
【課題を解決するための手段】
【００１０】
本発明は、テレビジョン放送を受信して得られる番組の映像を視聴しながら、外部装置から入力される映像を、画面上に同時に表示可能なテレビジョン情報表示装置と、
情報通信ネットワークを介して情報の収集が可能な情報処理装置と、
テレビジョン情報表示装置および情報処理装置を双方向の情報通信が可能な状態で接続する通信手段とを含み、
テレビジョン情報表示装置は、リモコン装置などによる操作情報および内部設定情報を、通信手段を介して情報処理装置に送信し、
情報処理装置は、情報通信ネットワークから情報を収集し、収集した情報を映像信号としてテレビジョン情報表示装置に出力し、かつ、放送から受信した映像と外部入力映像の表示状態を表す画面構成情報を、通信手段を介してテレビジョン情報表示装置に送信することで、放送から受信する映像とネットワークから得られる情報とを同時に画面に表示させることを特徴とするテレビジョン情報表示システムである。
【００１１】
本発明に従えば、テレビジョン情報表示システムは、テレビジョン情報表示装置と、情報処理装置と、通信手段とを含む。テレビジョン情報表示装置は、テレビジョン放送を受信して、放送される番組の映像を視聴しながら、外部から入力される映像信号を、表示画面に同時に表示するために、たとえばＰｉｎＰ機能などを備えており、２つの映像を任意の大きさおよび位置に重ね合わせることや、映像の一部分のみを切り出して親画面の上に表示することが可能である。情報処理装置は、たとえばインターネットなどの情報通信ネットワークを介して情報の収集が可能である。テレビジョン情報表示装置と情報処理装置とは、双方向の情報通信が可能な状態で、通信手段によって接続される。この通信手段を介して、テレビジョン情報表示装置は、情報処理装置へリモコンなどによる操作情報と内部設定情報を送信し、逆に、情報処理装置から、その出力画面に対して情報処理装置が表示したい領域の位置、形状、透明度などについての画面構成情報を受信する。すなわち、テレビジョン情報表示装置は、通信手段を介して受信する画面構成情報に従って情報処理装置の画面をＰｉｎＰ表示するので、テレビジョン情報表示装置には情報の収集機能を設けなくても、情報処理装置を介して収集し生成された情報画面を表示することができる。一方、情報処理装置は、テレビジョン情報表示装置から受信した操作情報および内部設定情報に基づいて対応するプログラムを呼び出す。プログラムは、自律的に収集した情報に基づいて情報ウインドウを生成し、ウインドウの位置、大きさ、透明度をテレビジョン情報表示装置に与えて、画面にＰｉｎＰ表示させるので、テレビジョン放送の映像と通信ネットワークから得られる情報とを、情報処理装置に対する操作の負担無く同時に表示可能となる。
【００１２】
また本発明で、前記操作情報および内部設定情報は、前記テレビジョン情報表示装置が受信中のテレビジョン放送の番組に関連する情報の表示指示であり、該番組を識別するチャネル情報が送信されることを特徴とする。
【００１３】
本発明に従えば、テレビジョン情報表示装置で受信中のテレビジョン放送の番組に関連する情報、たとえば、チャンネル番号、番組タイトル、番組終了時刻などの表示を、番組を識別するチャネル情報をテレビジョン情報表示装置から情報処理装置に送信して行わせることができる。
【００１４】
また本発明で、前記情報処理装置は、前記テレビジョン情報表示装置から送信されるチャネル情報に対応する番組の視聴が維持されている条件で、前記画像情報の生成を行うことを特徴とする。
【００１５】
本発明に従えば、情報処理装置がテレビジョン情報表示装置からのチャネル情報による指示で、チャネル情報に対応する番組に関連する情報を収集している間に、テレビジョン情報表示装置側で視聴中の番組を変えても、送信したチャネル情報についての視聴が維持されている条件で画像情報が生成されるので、一時的に他の番組を受信しても、元の番組に戻せば、視聴する番組の映像と関連する画像情報とを併せて表示させることができる。
【００１６】
また本発明で、前記通信手段は、
前記テレビジョン情報表示装置と前記情報処理装置との間を接続して、双方向での情報通信が可能な双方向通信手段と、
情報処理装置が生成する画像情報を、テレビジョン情報表示装置に転送する画像情報転送手段とを含むことを特徴とする。
【００１７】
本発明に従えば、双方向通信手段でテレビジョン情報処理装置と情報処理装置との間での指示などの情報通信を行い、画像転送手段で情報処理装置が生成する画像情報のテレビジョン情報表示装置への転送を行うので、画像情報は情報処理装置からテレビジョン情報表示装置の方向へ転送するだけでよく、ＰｉｎＰ機能などはテレビジョン情報表示装置に備えるようにして、その表示の制御などは情報処理装置からテレビジョン情報表示装置へ双方向通信手段を介して与えられる前記画面構成情報に基づいて行うようにすることができる。
【００１８】
また本発明で、前記テレビジョン情報表示装置は、前記情報処理装置を起動するための入力操作を受付可能であり、
情報処理装置は、休止状態で前記通信手段に接続され、
テレビジョン情報表示装置が情報処理装置を起動する入力操作を受付けると、
テレビジョン情報表示装置は、通信手段を介して、情報処理装置を再起動することを特徴とする。
【００１９】
本発明に従えば、情報処理装置の起動を、テレビジョン情報表示装置の入力操作で行わせることができる。情報処理装置は、たとえばサスペンドモードなどの休止状態で通信手段に接続され、起動する操作入力が与えられると、テレビジョン情報表示装置は、通信手段を介して情報処理装置を再起動するので、情報処理装置を起動させる手間が不要で、情報処理装置がテレビジョン情報処理装置と離れた場所に設置されていても、遠隔的に作動させて、情報を収集させることができる。
【００２０】
また本発明で、前記情報処理装置は、前記通信手段を介して、前記テレビジョン情報表示装置の表示画面に表示される情報映像の表示領域の位置、形状、大きさ、表示領域でのテレビ映像との重なり状態のいずれかを変更することを特徴とする。
【００２１】
本発明に従えば、情報処理装置から、ＰｉｎＰ表示状態の変更が遠隔操作により可能となる。たとえば、情報処理装置の出力画面の全画面中から、情報が表示されているウインドウだけ表示領域として指定して、テレビジョン放送画面と重ね合わせることができる。また、出力画面サイズや解像度の異なるテレビジョン情報表示装置と情報処理装置において、画面上部や下部など、適切な位置に表示させることが可能となる。
【００２２】
また本発明で、前記情報処理装置は、前記テレビジョン情報表示装置で受信中であるテレビジョン放送の番組の種別に応じて、前記画像情報の表示領域を変更することを特徴とする。
【００２３】
本発明に従えば、情報処理装置は、前記テレビジョン情報表示装置で受信中であるテレビジョン放送の番組の映像とともに、情報映像を、番組の種別に応じて表示領域を変更して、番組の内容などに応じて適切な位置に表示することができる。たとえば、あるニュース番組の視聴中は、下部に表示される放送のテロップに重ならないように情報画面をＰｉｎＰ表示し、ある映画の視聴中は、下部に情報処理装置から出力される字幕画面をＰｉｎＰ表示することなどが可能である。
【００２４】
さらに本発明は、前述のいずれか１つに記載の情報処理装置として、コンピュータを機能させるためのプログラムである。
【００２５】
本発明に従えば、コンピュータを、テレビジョン情報表示装置から与えられる操作情報および内部設定情報に基づいて情報通信ネットワークから情報を収集し、収集した情報提示する情報映像を出力して、テレビジョン情報表示装置に送り、テレビジョン放送の番組の映像とともに表示させる情報処理装置として機能させることができる。また、ＰＤＡ／携帯電話機／ＨＤＤレコーダ／ホームセキュリティ／ホームオートメーションサーバ／テレビ電話などでも、プログラムに従って動作するコンピュータとしての機能が設けられていれば、情報処理装置として機能させることができる。
【００２６】
さらに本発明は、テレビジョン放送を受信して得られる番組の映像を視聴しながら、外部の情報処理装置から受信する映像信号からなる画像を、画面に表示可能なテレビジョン情報表示装置において、
情報処理装置と双方向の情報通信が可能な通信手段と、
リモコンなどによる操作情報および内部設定情報を、通信手段を介して情報処理装置に対して送信する表示装置情報送信手段と、
前記操作情報および内部設定情報に基づいて情報処理装置が出力する映像を、受信中のテレビジョン放送の映像を表示している表示画面に、同時に表示する情報表示手段とを、
含むことを特徴とするテレビジョン情報表示装置である。
【００２７】
本発明に従えば、テレビジョン情報表示装置は、テレビジョン放送を受信して、放送される番組の映像を視聴しながら、外部の情報処理装置から入力される映像信号を、表示画面に同時に表示可能な、従来からのＰｉｎＰ機能を備えるテレビジョン受像機と同様の構成とともに、通信手段と、表示装置情報送信手段と、情報表示手段とを含む。通信手段は、情報の双方向の通信が可能である。表示装置情報送信手段は、テレビジョン情報表示装置が受信するリモコンコードなどの操作情報および内部設定情報を、通信手段を介して情報処理装置に送信するので、テレビジョン情報表示装置を通して情報処理装置へ指示を与えることができる。この指示に基づいて、情報処理装置は生成した情報を映像信号として出力し、加えて通信手段を介して前記画面構成情報も出力し、テレビジョン情報表示装置は受信中のテレビジョン放送の映像と情報処理装置から入力された映像を同時に表示するため、情報表示手段は、テレビジョン放送の番組の映像と、情報処理装置の情報映像とを、前記画面構成情報に基づいて表示画面同時に併せて表示させることができる。一般に向けられているテレビジョン放送の映像と、個人的に必要な通信ネットワークから得られる情報とを、操作の負担無く同時に表示可能であるので、効率よく情報を享受することができる。
【００２８】
また本発明で、前記操作情報および内部設定情報は、前記テレビ映像を視聴中のテレビジョン放送の番組に関連する情報の表示指示であり、
前記表示装置情報送信手段は、該番組を識別するチャネル情報を送信することを特徴とする。
【００２９】
本発明に従えば、情報処理装置へ視聴中のテレビジョン放送の番組を識別するチャネル情報を送信して、情報処理装置が視聴中の番組に関連する情報を収集して、収集した情報を提示する情報映像と前記画面構成情報を出力すれば、番組に関連する情報として、テレビ映像とともに表示させることができる。
【００３０】
また本発明で、前記通信手段は、
前記情報処理装置との間に接続される双方向通信手段と、
前記情報映像を、情報処理装置から入力するために設けられる映像伝送手段とを含み、
前記情報表示手段は、双方向通信手段を介して情報処理装置から与えられる画面構成情報に基づいて、前記映像伝送手段から入力される情報映像を前記表示画面に表示することを特徴とする。
【００３１】
本発明に従えば、通信手段は双方向通信手段と映像伝送手段とを含む。双方向通信手段では、情報処理装置との間で前記表示装置情報および画面構成情報などの情報通信を行い、映像伝送手段で情報処理装置が出力する映像信号を入力するので、前記情報映像は情報処理装置からテレビジョン情報表示装置の方向へ伝送するだけでよく、ＰｉｎＰ機能などはテレビジョン情報表示装置に備えるようにして、その表示の制御などは情報処理装置がテレビジョン情報表示装置側へ双方向通信手段を介して与える画面構成情報に基づいて行うようにすることができる。
【００３２】
また本発明で、前記情報表示手段は、前記テレビ映像と前記情報映像との２つの映像を、いずれか一方である親画面の表示中に他方を子画面として表示するＰｉｎＰ表示と、該２つの映像を並べて表示する分割表示とを、前記情報処理装置から与えられる画面構成情報に基づいて、選択可能であることを特徴とする。
【００３３】
本発明に従えば、テレビジョン放送の番組を視聴する映像と、情報処理装置からの情報映像とを、ＰｉｎＰ表示で行うか分割表示で行うかの指示に従って選択することが可能であるので、適切な表示を選択させることができる。
【００３４】
また本発明で、前記情報表示手段は、
前記情報処理装置から与えられる画面構成情報に基づいて、前記表示画面上での前記情報映像の表示領域の位置、形状を変更可能であり、
前記ＰｉｎＰ表示では、前記子画面を前記親画面中に表示する領域での重なり状態を変更可能であることを特徴とする。
【００３５】
本発明に従えば、情報表示手段での情報映像の表示領域は、情報処理装置から与えられる画面構成情報に基づいて、位置、形状を変更可能となるので、情報処理装置が実行するプログラムに応じて、テレビ映像とともに表示する情報映像の画面構成を変更することができる。ＰｉｎＰ表示の場合、子画面を親画面中に表示する領域での重なり状態を変更可能であるので、子画面のみを親画面中に表示したり、子画面を透明な状態で親画面と重ねて表示したりすることができる。
【００３６】
また本発明は、前記情報処理装置を起動する起動指示の入力操作が可能な入力手段をさらに含み、
前記通信手段には、休止状態の情報処理装置を接続可能であり、
入力手段に起動指示の入力操作が行われると、通信手段を介して休止状態の情報処理装置を再起動させることを特徴とする。
【００３７】
本発明に従えば、情報処理装置の起動を、入力手段への起動指示の入力操作で行わせることができる。情報処理装置は、たとえばサスペンドモードなどの休止状態で通信手段に接続され、起動する入力操作が与えられると、通信手段を介して情報処理装置を再起動することができるので、情報処理装置を起動させる手間が不要で、たとえば情報処理装置が離れた場所に設置されていても、遠隔的に作動させて、情報を収集させることができる。
【００３８】
また本発明は、前記情報処理装置へ与える指示も併せて、入力操作が可能なリモコン装置から送信される情報を受信可能で、情報処理装置へ与える指示が受信されると、前記通信手段を介して情報処理装置へ送信するリモコン受信手段を、さらに含むことを特徴とする。
【００３９】
本発明に従えば、リモコン装置に入力操作を行えば、リモコン装置から送信される情報を受信可能なリモコン受信手段が情報処理装置へ与える指示も受信し、通信手段を介して情報処理装置へ送信するので、情報処理装置への指示も、リモコン装置、テレビジョン情報表示装置および通信手段を介して遠隔的に与えることができ、テレビジョン放送の番組を視聴しながらでも容易に入力操作を行うことができる。
【００４０】
さらに本発明は、テレビジョン放送を受信して、放送される番組の映像を視聴しながら、外部の情報処理装置が出力する映像信号を表示画面に同時に表示可能なテレビジョン情報表示装置を、遠隔的に操作可能なリモコン装置において、
テレビジョン情報表示装置への操作と、情報処理装置への操作とを、共通の操作で受付ける操作入力手段と、
操作入力手段が受付ける操作がテレビジョン情報表示装置への操作であるか、情報処理装置への操作であるかを切換え可能な、切換手段と、
操作入力手段が受付ける入力操作に対応する操作情報を、テレビジョン情報表示装置に送信する送信手段であって、
切換手段によって、操作入力手段が受付ける共通の操作がテレビジョン情報表示装置への操作であるように切換えられている間は、操作入力手段に受付ける入力操作に応答して、テレビジョン情報表示装置を操作するための予め定める範囲の操作コードを、
切換手段によって、操作入力手段が受付ける共通の操作が情報処理装置への操作であるように切換えられている間は、操作手段に受付ける入力操作に応答して、該予め定める範囲外の操作コードを、
それぞれ送信する送信手段とを含むことを特徴とするリモコン装置である。
【００４１】
本発明に従えば、リモコン装置は、テレビジョン放送を受信して、放送される番組の映像情報を視聴しながら、外部の情報処理装置が生成する画像情報を映像情報の表示画面に表示可能なテレビジョン情報表示装置を、遠隔的に操作することが可能である。リモコン装置は入力手段と切換手段と、送信手段とを含む。入力手段は、テレビジョン情報表示装置への操作と、情報処理装置への操作とを、共通の操作で受付ける。切換手段は、入力手段が受付ける操作がテレビジョン情報表示装置への操作であるか、情報処理装置への操作であるかを切換え可能であるので、入力手段での操作を、テレビジョン情報表示装置と情報処理装置とのいずれかに切換えて行うことができる。送信手段は、切換手段によって、操作入力手段が受付ける共通の操作がテレビジョン情報表示装置への操作であるように切換えられている間は、操作入力手段に受付ける入力操作に応答して、テレビジョン情報表示装置を操作するための予め定める範囲の操作コードを送信する。切換手段によって、操作入力手段が受付ける共通の操作が情報処理装置への操作であるように切換えられている間は、操作手段に受付ける入力操作に応答して、送信手段は、予め定める範囲外の操作コードをテレビジョン情報表示装置へ送信し、テレビジョン情報表示装置を介して情報処理装置への指示を行わせるので、情報処理装置もテレビジョン受像機と同様に操作することができる。
【発明の効果】
【００４２】
本発明によれば、テレビジョン情報表示装置は、表示すべき情報についての指示を、双方向の通信手段を介して情報処理装置に対して送信し、情報処理装置は、受信する指示に従って、収集済みの情報から表示に必要な情報を抽出する、あるいは情報通信ネットワークから情報を収集するので、テレビジョン情報表示装置には情報の収集機能を設けなくても、情報処理装置を介して収集することができる。情報の収集のために情報処理装置を直接操作する必要はなく、テレビジョン放送の映像と個人的に必要な画像とを、操作の負担無く同時に表示可能となる。
【００４３】
また本発明によれば、テレビジョン情報表示装置で受信中のテレビジョン放送の番組に関連する情報を情報処理装置で収集して、番組の映像情報とともに画像情報で表示させることができる。
【００４４】
また本発明によれば、テレビジョン情報表示装置で受信中のテレビジョン放送の番組に関連する情報を情報処理装置で生成させている間に、視聴する番組を他のチャネルに変えても、指示されたチャネル情報に対応する番組の視聴が維持されている条件で画像情報が生成されるので、一時的に他の番組を受信しても、元の番組に戻せば、視聴する番組の映像と関連する画像情報とを併せて表示させることができる。
【００４５】
なお、テレビジョン情報表示装置で受信中のテレビジョン放送の番組とは異なる番組に関連する情報の収集を、情報処理装置に行わせるように指示すれば、受信中の番組の映像情報とともに画像情報で表示させることもできる。
【００４６】
また本発明によれば、テレビジョン情報処理装置と情報処理装置との間での指示などの情報通信を双方向通信手段を介して行い、画像転送手段は、情報処理装置が生成する画像情報をテレビジョン情報表示装置の方向へ転送するだけでよく、ＰｉｎＰ機能などはテレビジョン情報表示装置に備えるようにして、その表示の制御などは情報処理装置が行うようにすることができる。
【００４７】
また本発明によれば、情報処理装置の起動を、テレビジョン情報表示装置への入力操作で行わせることができ、情報処理装置がテレビジョン情報処理装置と離れた場所に設置されていても、遠隔的に作動させて、情報を収集させることができる。
【００４８】
また本発明によれば、情報処理装置から通信手段を介する指示を与え、テレビジョン情報表示装置の表示画面での画像情報について、表示領域の位置、形状、表示領域での映像情報との重なり具合などを変更することができる。
【００４９】
また本発明によれば、情報処理装置は、受信中のテレビジョン放送の番組の種別に応じて画像情報の表示領域を、番組の内容などに応じて適切な位置に変更して表示することができる。
【００５０】
さらに本発明によれば、コンピュータを、情報通信ネットワークから情報を収集し、収集した情報に基づいて画像情報を生成して、テレビジョン情報表示装置に送る情報処理装置として機能させ、テレビジョン情報表示装置とともに、テレビジョン放送の番組の映像情報とともに画像情報を表示させるテレビジョン情報表示システムを構成することができる。また、ＰＤＡ／携帯電話機／ＨＤＤレコーダ／ホームセキュリティ／ホームオートメーションサーバ／テレビ電話でも、プログラムに従って動作するコンピュータとしての機能が設けられていれば、情報処理装置として機能させることができる。
【００５１】
さらに本発明によれば、テレビジョン情報表示装置は、従来からのＰｉｎＰ機能を備えるテレビジョン受像機と同様の構成とともに、生成すべき画像情報についての指示を通信手段を介して情報処理装置に送信することができる。指示に基づいて情報処理装置が生成する画像情報を、受信中のテレビジョン放送の映像情報を表示している表示画面に表示するので、テレビジョン放送の番組の映像情報と、情報処理装置への指示に基づく画像情報とを、表示画面に併せて表示させることができる。一般に向けられているテレビジョン放送の映像と、個人的に必要な画像とを、操作の負担無く同時に表示可能であるので、効率よく情報を享受することができる。
【００５２】
また本発明によれば、情報処理装置へ映像情報を視聴中のテレビジョン放送の番組を識別するチャネル情報を送信して、情報処理装置によって視聴中の番組に関連する情報を収集させ、収集した情報に基づく画像情報を生成させて、番組に関連する情報として、映像情報とともに表示させることができる。
【００５３】
なお、情報処理装置によって映像情報を視聴中の番組とは異なる番組に関連する情報の収集を行わせれば、視聴中の番組の映像情報とともに、収集した情報の画像情報を表示させることもできる。
【００５４】
また本発明によれば、双方向通信手段では、情報処理装置との間での指示などの情報通信を行い、画像情報は情報処理装置からテレビジョン情報表示装置の方向へ転送するだけでよく、ＰｉｎＰ機能などはテレビジョン情報表示装置に備えるようにして、その表示の制御などは情報処理装置がテレビジョン情報表示装置側から双方向通信手段を介して与えられる情報に基づいて行うようにすることができる。
【００５５】
また本発明によれば、テレビジョン放送の番組を視聴する映像情報と、情報処理装置からの画像情報とを、ＰｉｎＰ表示と分割表示とを選択して、適切に表示することができる。
【００５６】
また本発明によれば、情報処理装置が実行するプログラムに応じて、映像情報とともに表示する画像情報の表示を変更することができ、ＰｉｎＰ表示の場合は、子画面のみを親画面中に表示したり、子画面を透明な状態で親画面と重ねて表示したりすることができる。
【００５７】
また本発明によれば、情報処理装置の起動を、入力手段への起動指示の入力操作で行わせることができ、情報処理装置が離れた場所に設置されていても、遠隔的に作動させて、情報を収集させることができる。
【００５８】
また本発明によれば、リモコン装置に入力操作を行えば、情報処理装置への指示も行うことができるので、テレビジョン放送の番組を視聴しながらでも、情報書処理装置への入力操作を容易に行うことができる。
【００５９】
さらに本発明によれば、リモコン装置は、入力手段での操作を、テレビジョン情報表示装置と情報処理装置とのいずれかに切換えて行うことができる。テレビジョン情報表示装置へは予め定める範囲の操作コードを、情報処理装置へはテレビジョン情報表示装置を介して送信することにより予め定める範囲外の操作コードを、それぞれ切換手段の切換え状態に応じて与えるので、情報処理装置もテレビジョン受像機と同様に操作することができる。
【発明を実施するための最良の形態】
【００６０】
図１は、本発明の実施の一形態であるテレビジョン情報表示システム１の概略的な電気的構成を示す。テレビジョン情報表示システム１は、テレビジョン放送を受信するテレビ受像機２とパーソナルコンピュータなどのコンピュータ３とを含む。テレビ受像機２とコンピュータ３との間は、情報通信線４を介して接続される。情報通信線４は、画像入力線５とＵＳＢライン６とを含む。テレビ受像機２は、リモコン装置７からの遠隔制御が可能となっている。コンピュータ３は、ネットワーク接続線８を介して、インターネットなどの情報通信ネットワークに接続され、情報の取得が可能である。コンピュータ３は、テレビ受像機２と連携してテレビジョン情報処理システム１を構成する際には、連携用のアプリケーションプログラムで動作するＩＴモードとなる。情報通信線４やネットワーク接続線８は、有線ばかりではなく、無線を使用することもできる。
【００６１】
テレビ受像機２は、画像処理や制御を行う表示プロセッサ１０を含む。表示プロセッサ１０は、１または複数のＣＰＵや画像処理プロセッサを含み、予め作成されてＲＯＭ１１などに格納されているプログラムに従って動作する。表示プロセッサ１０の動作の際には、ＲＡＭ１２がワークエリアやデータの一時的な記憶のためなどに使用される。表示プロセッサ１０によって生成される映像や画像は、液晶表示装置（ＬＣＤ）やプラズマディスプレイパネル（ＰＤＰ）などによる表示パネル１３によって表示される。テレビ受像機２が表示パネル１３に表示する映像情報は、チューナ１４が受信するテレビジョン放送の番組から得られる。チューナ１４は、複数のチャネルで放送されているテレビジョン放送を選択的に受信し、映像や音声の情報を再生する。映像情報は、画像用のＲＡＭ１５に一時的に記憶され、表示パネル１３で表示される。表示プロセッサ１０は、アナログＲＧＢなどの画像入力線５を介して入力される画像情報を、テレビジョン放送の映像情報と組合わせて、ＰｉｎＰなどの形態で表示することもできる。映像情報と画像情報との表示形態は、ＵＳＢライン６を介する双方向の情報通信に基づいて設定または選択される。テレビ受像機２は、ＵＳＢライン６を接続するためのシリアルインタフェース１６を備えている。テレビ受像機２は、また、リモコン装置７からの赤外線などを介する信号を受信するリモコンインタフェース１７も備えている。その他、テレビ受像機には、操作入力部や音響出力部なども備えられているけれども、図示は省略する。
【００６２】
すなわち、テレビ受像機２は、チューナ１４が受信するテレビジョン放送の映像信号から映像情報を復調し、映像信号として表示パネル１３で表示することができるばかりではなく、外部のコンピュータ３などからアナログＲＧＢなどの画像情報を画像入力線５を介して入力し、表示可能である。チューナ１４に、衛星放送や地上波デジタル放送受信機能を設けて、デジタル信号で送信される映像情報ばかりではなく、音声や文字などの情報を再生するようにすることも可能である。さらに、ＶＴＲ、ＤＶＤ再生機、デジタルビデオカメラなどからのアナログまたはデジタルの外部ビデオ映像を入力可能な構成とすることもできる。画像入力線５は、ＤＶＩなど、デジタル化されたビデオ信号に対応させることもできる。また、カラーの映像信号を、ＲＧＢなどに分けて伝送するばかりではなく、複合状態で伝送することもできる。また、映像とともに、音声も含めて伝送することもできる。なお、表示パネル１３では、たとえば横１３６６ドット、縦７６８ドットで画像表示が可能である。
【００６３】
さらにテレビ受像機２には、シリアルインタフェース１６が設けられ、双方向のＵＳＢライン６を介してコンピュータ３との間で制御信号などの送受信を行う。ＵＳＢライン６に代えて、ＲＳ−２３２ＣやＬＡＮ（Local Area Network）用の信号線などを接続するようにしてもよい。無線の通信線を用いることもできる。いずれにしても、コンピュータ３に多く備えられている双方向通信線の規格に合わせることが好ましい。
【００６４】
従来からも、ＰＣなどからのＲＧＢ画像信号を入力してＰｉｎＰ表示が可能なテレビ受像機は存在している。テレビ受像機２は、そのような従来からのテレビ受像機に対して、ＵＳＢライン６などの汎用の双方向通信線を接続する機能が付加されている形態であるけれども、広く普及している双方向通信線を付加するようにすれば、従来からのテレビ受像機と大差ないコストで製造することができる。
【００６５】
コンピュータ３は、汎用のパーソナルコンピュータ、ＰＤＡ（Personal Digital
Assistant）などで、アプリケーションプログラムの動作が可能な情報処理端末である。これら情報処理端末は、インターネットなどの情報通信ネットワークを介する情報収集が可能であるものが使用されるが、携帯電話機などの情報端末を使用することもできる。もしくは、ＨＤＤレコーダ、ホームセキュリティ／ホームオートメーションサーバ、テレビ電話のような情報家電製品なども使用することができる。このようなコンピュータ３には、ＣＰＵ２０が含まれ、予め設定される基本プログラム、オペレーティングシステム、アプリケーションプログラムなど、各種のプログラムの組合せで、制御、処理、演算などを含む動作が行われる。このようなプログラム動作のためには、プログラムを格納するＲＯＭやハードディスク装置、ワークエリアなどとして使用されるＲＡＭ、入力装置、出力装置などが設けられるけれども、図示を省略する。
【００６６】
コンピュータ３には、インターネットなどへ接続するためのネットワークインタフェース２１、外部へ画像情報を出力するためのビデオインタフェース２２、およびＵＳＢライン６に接続するためのシリアルインタフェース２３も設けられる。このようなＵＳＢライン６などを介する情報通信は、テレビ受像機２からコンピュータ３の方向へ、受信中のテレビジョン放送についてのチャネル情報、およびリモコン装置７の操作に基づくリモコン信号などが転送される。なお、コンピュータ３として専用のものを使用したり、汎用のコンピュータ３でも、専用のインタフェースカードなどを使用するようにすれば、ＵＳＢなどの一般的な双方向シリアル通信線ばかりではなく、たとえば画像入力線５が接続される画像出力用コネクタなどの空きピンを利用して、シリアル通信線を接続するようにすることもできる。たとえば、アナログＲＧＢやＤＶＩの規格化されたコネクタには、使用していないピン（信号線）がある。コンピュータ３を専用の外部機器とする場合は、使用していないピンをＵＳＢなどのシリアルバスライン用に利用することもできる。このようなシリアルバスラインやＵＳＢライン６を介して、コンピュータ３からテレビ受像機２へは、ＰｉｎＰ表示を行う場合のＰｉｎＰ領域情報などが転送される。
【００６７】
インターネットへは、光ファイバやＡＤＳＬ（Asymmetric Digital Subscriber Line
）などのブロードバンド化されたネットワーク接続線８を介して、常時接続状態で接続することが好ましい。インターネットから情報を収集するためには、プロバイダが開設するホームページなどにアクセスしてニュースや検索機能などを利用したり、放送局のホームページにアクセスすることが考えられる。また、テレビジョン情報表示システム１での情報収集を支援する情報提供サイトを開設するようにしてもよい。取得する情報は、ＨＴＭＬ（Hyper Text Markup Language）などを含む文字情報である方が、内容の取捨選択や表示の処理が容易となる。さらに、取得すべき情報が発生すると、電子メールの形式で配信するようなサービスの提供を受けるようにしてもよい。
【００６８】
テレビ受像機２の製品には、コンピュータ３でアプリケーションプログラムとして実行するソフトウエアを記録したＣＤ−ＲＯＭなどの記録媒体を付属させる。そのようなソフトウエアは、インターネットなどを介して、ダウンロード可能にしてもよいことはもちろんである。そのようなソフトウエアとしては、電子番組案内であるＥＰＧ（Electronic
Program Guide）、おすすめ番組紹介、ＲＳＳ（Rich Site Summary）などのリーダとして関連情報の収集を行うソフトウエアや、情報収集を行いながら、電子メールの着信処理を行うためのメーラなどが含まれる。
【００６９】
ＥＰＧは、放送局が放送予定の番組について、タイトル、ジャンル、出演者名などのキーワードを含むインデックスを有し、予め設定される時間枠に区切られて作成されている。このようなＥＰＧは、放送局が地上波や衛星波などを利用するデジタル多重方式で放送番組をデジタルコンテンツとして提供する場合は、コンテンツ信号に重畳して放送される。インターネット上には、ＥＰＧを蓄積しておいて提供するＥＰＧサーバなどが設置され、ＥＰＧサーバにアクセスすることによって、ＥＰＧを取得することもできる。
【００７０】
ＲＳＳは、Ｗｅｂサイトの見出しや要約などのメタデータを構造化して記述するＸＭＬ（Extensible Markup Language）をベースとするフォーマットを有し、主にサイトの更新情報を公開するために使用されている。ＸＭＬは、ＨＴＭＬと同様にタグ形式の言語であり、タグの意味自体を自ら定義可能な特徴がある。ＲＳＳで記述される文書には、Ｗｅｂサイトの各ページのタイトル、アドレス、見出し、要約、更新時刻などを記述することができる。クライアント側として、ＲＳＳリーダをＰＣなどに組込むことで、ＲＳＳ対応の多数のＷｅｂサイトの更新情報を、統一的な方法で効率的に把握することができる。
【００７１】
以上のようなテレビジョン情報表示システム１では、テレビ受像機２とコンピュータ３とをＵＳＢライン６などの双方向の信号線で接続し、ＰｉｎＰ機能などを利用することで、テレビ受像機２の機能拡張を実現する。このように、テレビ受像機２とコンピュータ３とを、映像や音声の信号とは別の通信線で接続することによって、コンピュータ３の表示内容であるＥＰＧ情報や新着情報などを、テレビジョン受像機２の表示パネル１３の一部に合成し、表示する位置や大きさは適時変更することができる。合成して表示する内容は、視聴中のテレビジョン放送の番組からの映像信号の邪魔にならないようにすることができる。ＰｉｎＰ表示に関しては、コンピュータ３側からテレビ受像機２に対して、ＰｉｎＰ領域、あるいは透明色と透過度を表すアルファ（α）値を指示する。また、テレビ受像機２側からコンピュータ３側に、電源のＯＮ／ＯＦＦ時やチャネル変更時に表示チャネルの情報を送信し、コンピュータ３側で視聴履歴を残すようにする。このような視聴履歴は、おすすめ番組紹介の際などに利用することができる。おすすめ番組の紹介は、現在以降の時間に放送予定で、過去の視聴実績に合う番組を選択して紹介する。また、視聴中の番組とは異なる番組である裏番組の紹介も、ＰｉｎＰ表示で行わせることができる。たとえば、連続ドラマなどを視聴中に、ニュースや天気予報を表示させることができる。
【００７２】
そのようなＰｉｎＰ表示は、大略的に次のような手順で行われる。なお、テレビ受像機２をＴＶ、コンピュータ３をＰＣと略称する。
【００７３】
（１）ＴＶ→ＰＣ  視聴中のチャネルコード情報を含むＴＶ操作情報を
通信線（ＵＳＢライン６など）にて送る。
（２）ＰＣ        ＴＶ操作情報の受信により、チャネル／現時刻から
番組を検索し、関連情報を取得する。
（３）ＰＣ        番組関連画像情報を生成する。
（４）ＰＣ        出力する情報の種別に応じて、
出力するＰｉｎＰ位置およびサイズ情報を生成する。
（５）ＰＣ→ＴＶ  同一チャネルが維持されている条件で
番組関連画像情報を映像出力する。
（６）ＰＣ→ＴＶ  同一チャネルが維持されている条件で
ＰｉｎＰの位置およびサイズ情報を、
映像出力信号と別の信号線で送る。
【００７４】
（１）のＴＶからＰＣへ向けた視聴中のチャネルコード情報の送信では、たとえばテレビ放送受信中に、リモコンや本体の操作ボタンによってチャネルを切換えると、関連する情報として、切換えたチャネルの選局情報がテレビ受像機２から自動的に送信される。このようなＴＶ操作情報は、電源ＯＮ／ＯＦＦ、音声ボリューム操作、消音、入力切換、上下左右のメニュー移動などリモコンや本体操作ボタンに対応した全てのキーコード情報が含まれる。キーコードを受信したＰＣ内のプログラムは、そのキーコード列を解析することによって、おすすめ番組紹介、ニュース、天気予報といった各プログラムを呼び出す。また、チャネル選局コードは、おすすめ番組紹介の情報源となるべく、視聴履歴を管理するデータベースへ送られる。また、電源ＯＮ／ＯＦＦのコードは、各プログラムにＴＶが情報表示可能かどうかの判別を可能にし、必要によって情報収集の中断と再開を自動的に実行させることができる。一定期間全ての情報収集が中断されれば、電源管理プログラムによってＰＣは休止状態へ移行することもできる。
【００７５】
（２）のＴＶ操作情報を受信したコンピュータでは関連情報の取得を行う。取得とはインターネットからの関連情報の収集や、既に収集されているニュースや天気予報など読み出しを含む。コンピュータでは（３）にて取得した関連情報をＰｉｎＰ画像として生成するとともに、（４）にてＰｉｎＰ表示させたい領域のサイズとオフセット位置を生成する。たとえば、図１４（ｂ）に示される子画面のサイズ（８００，６００）とオフセット位置（２５０，１５０）の情報を生成する。
【００７６】
（５）および（６）では、生成したＰｉｎＰ画像と、ＰｉｎＰ表示領域のサイズとオフセット位置が個別の信号線でコンピュータからテレビ受像機に出力されるが、この出力は、コンピュータで関連情報を取得中に、テレビ受像機２でユーザがさらに受信チャネルを切換えることがある場合を想定して、同一チャンネルが維持されていることを条件に行う。
【００７７】
なお、コンピュータ３は常時起動していなくてもよい。休止状態としておいて、ユーザからテレビ受像機２に対して関連情報表示要求があった場合に、ＴＶ→ＰＣに、ＰｏｗｅｒＯＮコマンドを出力して起動させる。また、コンピュータ３には、ユーザ固有の設定情報を記憶させておくこともできる。ユーザがコンピュータ３にログインすれば、ＰＣ→ＴＶにテレビ受像機２の設定情報を送り、各種機能をユーザ固有の状態に設定するようにすることができる。
【００７８】
図２は、図１のテレビジョン情報表示システム１を、機能的な構成で示す。テレビ受像機２は、表示パネル１３などの情報表示手段２５で、チューナ１４などを含む放送受信手段２６が受信するテレビジョン放送の映像信号に基づく映像を表示して、放送される番組を視聴しながら、外部から入力される画像情報を、映像情報の表示画面の一部に表示可能なテレビジョン情報表示装置として機能する。テレビジョン情報表示装置としての機能は、ユーザがリモコン装置７で操作可能である。コンピュータ３は、情報通信ネットワークを介して情報の収集が可能な情報処理装置として機能する。情報通信線４は、テレビジョン情報表示装置および情報処理装置を双方向の情報通信が可能な状態で接続する通信手段として機能する。テレビジョン情報表示装置であるテレビ受像機２は、情報処理装置であるコンピュータ３が収集した情報を表示する位置、サイズ、透明度の指示を、通信手段である情報通信線４を介して情報処理装置に対して送信するシリアルインタフェース１６などの情報通信部２７を備える。情報通信部２７には、ユーザがリモコン装置７を操作してコンピュータ３に指示を与えるためのリモコンコードも入力され、情報通信線４を介してコンピュータ３に送信される。
【００７９】
情報処理装置であるコンピュータ３は、通信手段である情報通信線４を介して受信するリモコンコードに従って、情報収集手段３１が情報通信情報通信ネットワークから収集した情報に基づく映像情報を映像生成手段３２で生成し、生成した画像情報を映像出力手段３３が画像入力線５を介してテレビジョン情報表示装置であるテレビ受像機２に与えて、表示画面に表示させる。情報収集手段３１は、ＣＰＵ２０およびネットワークインタフェース２１によって実現される。映像生成手段３２は、ＣＰＵ２０によって実現される。映像出力手段３３は、ビデオインタフェース２２に対応する。情報通信部３４は、ＵＳＢライン６を介しての情報通信の送受信を行い、シリアルインタフェース２３に対応している。
【００８０】
このように、テレビジョン情報表示システム１は、テレビ受像機２と、コンピュータ３と、通信手段である情報通信線４とを含む。テレビ受像機２は、テレビジョン放送を受信して、放送される番組の映像情報を視聴しながら、外部から入力される画像情報を、映像情報の表示画面に表示可能であり、たとえばＰｉｎＰ機能などを備えている。コンピュータ３は、たとえばインターネットなどの情報通信ネットワークを介して情報の収集が可能である。テレビジョン情報表示装置であるテレビ受像機２と情報処理装置であるコンピュータ３とは、双方向の情報通信が可能な状態で、通信手段である情報通信線４によって接続される。テレビ受像機２は、リモコン７から受信したコードを、情報通信線４を介してコンピュータ３に対して送信する。コンピュータ３は、あらかじめインストールされたプログラムにより、自律的に情報通信ネットワークから情報を収集するので、テレビ受像機２には情報の収集機能を設けなくても、コンピュータ３を介して収集することができる。コンピュータ３は、テレビ受像機２からの指示に従って、情報を収集するので、情報の収集のためにコンピュータ３を直接操作する必要はない。コンピュータ３は、収集した情報に基づいて画像情報を生成し、生成した画像情報をテレビ受像機２に与えて、表示画面に表示させるので、テレビジョン放送の映像と個人的に必要な画像などを、操作の負担無く同時に表示可能となる。
【００８１】
図３は、テレビ受像機２の表示パネル１３で表示可能な２画面表示の例を示す。図３（ａ）および図３（ｂ）は、ＰｉｎＰ画面４０を示す。ＰｉｎＰ画面４０では、表示領域全体を親画面４１で使用し、親画面４１中に窓の形態で子画面４２を表示する。図３（ａ）では、親画面４１として、コンピュータ３からのＲＧＢ画像を表示し、子画面４２として、テレビジョン放送からの映像、または外部のビデオ映像などを表示する。図３（ｂ）では、親画面４１として、テレビジョン放送からの映像、または外部のビデオ映像などを表示し、子画面４２として、コンピュータ３からのＲＧＢ画像を表示する。図３（ｃ）では、ＰｂｙＰ画面４３として、左画面４４と右画面４５とに分割して表示する例を示す。上下に分割することもできる。テレビジョン情報表示システム１では、図３に示すような各種の表示を、コンピュータ３からのコマンドで選択することができる。なお、ＰｉｎＰ画面４０やＰｂｙＰ画面４３での表示を中止し、テレビジョン放送の映像を全画面で表示することもコンピュータ３からのコマンドにより可能であり、この場合のテレビ受像機２は単なるテレビジョン放送受像機として動作する。また、テレビ受像機２は、コンピュータ３からのＲＧＢ画像を全画面で表示するモニタとしても動作可能である。
【００８２】
図４は、リモコン装置７の外観構成を示す。リモコン装置７は、電源キー５０、モード切換ＳＷ５１、チャネルダイレクトキー５２、チャネル送りキー５３、入力切換キー５４、音声切換キー５５および音量キー５６などを含む。リモコン装置７には、動作用の電源として電池が内蔵され、電源キー５０の投入で動作状態となる。モード切換ＳＷ５１は、ＴＶ側とＩＴ側とに動作モードを切換えるスイッチである。ＴＶ側のモードでは、リモコン装置７が出力する制御信号がテレビ受像機２に対するものとなる。ＩＴ側のモードでは、リモコン装置７から出力される制御信号がコンピュータ３に対するものとなり、テレビ受像機２のリモコンインタフェース１７で受信されてから、ＵＳＢライン６を介してコンピュータ３に転送される。ただし、モード切換ＳＷ５１の操作のみでは制御信号は出力されず、チャネルダイレクトキー５２などの操作時に、モードに応じて異なる制御信号のコードが出力される。
【００８３】
たとえば、チャネルダイレクトキー５２などで、ＴＶモード時には受信チャネルを指定し、ＩＴモード時には、表示する情報の選択を行うようにする。たとえば、１チャネルでおすすめ番組表、２チャネルで天気予報、などを選択可能にすることができる。また、音声切換キー５５については、１画面表示時やＴＶモード時のステレオ放送では、左右をミックスしたモノラル→ステレオ→モノラル、音声多重放送では、（主＋副）音声→主音声＋副音声などのように順次切換えるようにしておく。ＩＴモード時は、コンピュータ３（ＰＣ）から出力される音声信号についての再生モードの変更となり、ＰＣモノラル→ＰＣ左→ＰＣ右→ＰＣステレオ→ＰＣモノラルなどのように順次切換えられるようにしておく。
【００８４】
なお、ミュートなどの消音キーを設け、１画面時には、消音→解除→消音を順次切換え、２画面時には、全消音→ＴＶ消音→ＰＣ消音→解除→全消音を順次切換えるようにしておくこともできる。この場合は、モード切換ＳＷ５１の切換え位置にはよらず、テレビ受像機２用の制御信号を発生する。ＰＣ消音も、テレビ受像機２に画像入力線５を介して入力されるＰＣ音声信号を、テレビ受像機２側で消音させればよいからである。
【００８５】
以上で説明しているテレビジョン情報表示システム１では、以下に示すようなデータ送受信の基本手順が双方向性のＵＳＢライン６を介して行われる。
【００８６】
（Ａ）テレビ受像機２の主電源ＯＮ、電源ＯＦＦ時
※コンピュータ３の電源はＯＮ
（ユーザ）リモコン装置７の電源キー５０押下（ＯＮ）
（テレビ受像機）電源変更通知（ＴＶ→ＰＣ）→電源ＯＮ
（コンピュータ）ＩＴモードスタンバイ
【００８７】
・テレビ受像機２側の処理
リモコン装置７の電源キー５０操作を示す制御コードを受信した場合、電源をＯＮした後、コンピュータ３に電源変更通知を送信する。
【００８８】
・コンピュータ３側の処理
電源変更通知を受信後、起動、あるいは休止状態（ＰＣの画面）から復帰し、ＩＴモードの画面を表示できる状態に遷移させる。
【００８９】
（Ｂ）ＩＴモード遷移時
（ユーザ）リモコン装置７のモード切換ＳＷ５１がＩＴモード側の状態にてチャネルダイレクトキー５２、押下
（テレビ受像機）リモコンコード送信
（コンピュータ）リモコンコード解析、アプリケーションプログラム呼び出し
（コンピュータ）アプリケーション画像表示
（コンピュータ）状態変更要求（変更情報：ＰｉｎＰ親子関係、子画面サイズ、子画面位置、子画面透明度、音声入力、音量など）
（テレビ受像機）状態変更（ＴＶ⇔ＰｉｎＰ画面）
（テレビ受像機）状態変更完了通知
【００９０】
・テレビ受像機２側の処理
ＩＴモードのチャンネルダイレクトキー５２が押下された場合、テレビ受像機２側では処理を行わず、リモコン受信通知を行ってコンピュータ３側にリモコンの操作コードを直接送信し、待機する。続いて状態変更要求を受けて、現在情報（チャネル、音声モード）、コンピュータ３側の状態変更要求に従って画面構成を変更する。変更後、状態変更完了通知をコンピュータ３へ送信する。
【００９１】
・コンピュータ３側の処理
リモコン受信通知によりＩＴモードのチャネルコードを受け取ると、そのチャネル番号と対応したアプリケーションプログラムが情報画面を表示する。次に、表示状態変更要求を出す。たとえば、図１４（ｂ）に示される子画面のサイズ（８００，６００）とオフセット位置（２５０，１５０）の情報である。
【００９２】
（Ｃ）テレビチャネル、音声モード変更時
（ユーザ）リモコン装置７のモード切換ＳＷ５１がＴＶモード側の状態にてチャネルダイレクトキー５１、チャネル送りキー５３、または音声切換キー５４押下
（テレビ受像機）チャネル・音声モード変更
（テレビ受像機）チャネル・音声モード変更通知
（コンピュータ）番組情報取得
（コンピュータ）変更チャネル情報を視聴履歴データベースへ記録
（テレビ受像機）画面表示
（コンピュータ）番組情報画像出力
（コンピュータ）状態変更要求
（テレビ受像機）画面変更＋画面変更完了通知
【００９３】
・テレビ受像機２側の処理
リモコン装置７のチャネル・音声モードを変更するキー（ＴＶモードでチャネル送りキー５３／チャネルダイレクトキー５２、音声切換キー５５）の操作に対応する制御コードを受信した場合、チャネル（音声モード）を変更し、チャネル・音声変更通知を発信する。
【００９４】
その後、コンピュータ３より状態変更要求を受信し、画面状態を変更後、画面変更完了通知を返して待機状態へ遷移する。
【００９５】
・コンピュータ３側の処理
チャネル・音声変更通知を受信後、表示中の番組情報（番組タイトル、放送時間、番組表詳細）を取得し、表示画面を作成する（たとえば、画面右上にチャンネル番号と番組タイトル、音声モードを表示）。次に、テレビ受像機２に対して作成した画面をＰｉｎＰ表示するように状態変更要求を出す。また、しばらく（たとえば３秒程度）経過後、再度状態変更要求を出し、ＰｉｎＰ画面出力を停止することで、番組情報表示を消すこともできる。
【００９６】
（Ｄ）入力切換実行時
リモコン装置７の入力切換キー５４の動作：
ＴＶ→ビデオＩ→ビデオＩＩ→ＰＣ入力→ＰｉｎＰ→ＰｂｙＰ（ＰＣ，ＴＶ）→ＰｂｙＰ（ＴＶ，ＰＣ）→ＴＶ...
（ユーザ）リモコン装置７のボタン操作（入力切換キー５４押下）
（テレビ受像機）画面遷移
（テレビ受像機）画面状態遷移通知（入力切換キー５４のキーコードを送信）
（コンピュータ）ＰＣ通常画面⇔ＩＴアプリケーション画面切換え
【００９７】
・テレビ受像機２側の処理
ＩＴモードの画面表示時に、入力切換キー５４の操作に相当する操作コードを受信した場合、画面状態遷移通知を行い、入力画像を切換える。
【００９８】
・コンピュータ３側の処理
画面状態遷移通知により、ＴＶがＰＣ入力画面に遷移していることを判別すると、必要な場合には、ＰｉｎＰ情報表示プログラムはＰＣ画面に適した情報表示画面を出力する、もしくは、情報表示の出力を中断する。これは、情報表示プログラムがＴＶ上にＰｉｎＰされている際には、ＴＶ前の視聴に適した画面デザインやレイアウトを行うことが理想的だが、ＰＣ画面では必ずしもその画面デザインおよびレイアウトによる情報表示が適しているとは限らないため、入力切換のイベントを識別コードとして、ＴＶ使用時、ＰＣ使用時の情報表示の切換えを行うためのものである。
【００９９】
（Ｅ）テレビ受像機２の電源ＯＦＦ時
（ユーザ）テレビ受像機２の電源キーＯＦＦ操作
（テレビ受像機）電源変更通知
（テレビ受像機）電源ＯＦＦ
（コンピュータ）（数秒待機後）ＩＴモード（スタンバイ）解除
（コンピュータ）（一定時間待機後）省電力モードへ遷移
【０１００】
（Ｆ）ポップアップ情報表示時
ポップアップ情報は、コンピュータ３の新着取得プログラムが新着情報を取得した場合、表示プログラムと通信を行って表示させる情報を表示プログラム側に送信し、表示プログラムがテレビ受像機２に対して状態変更要求を出すことによって表示が行われる。
（コンピュータ）新着情報の受信
（コンピュータ）状態変更要求
（テレビ受像機）状態変更＋状態変更完了通知
【０１０１】
（Ｇ）設定情報の反映
コンピュータ３側で設定したチャンネル情報をテレビ受像機２側に送信し、設定させることで設定情報を共通化する。
（コンピュータ）設定反映要求（データ付き）
（テレビ受像機）設定反映
【０１０２】
（Ｈ）情報送信要求
（コンピュータ）情報送信要求
（テレビ受像機）情報送信
【０１０３】
（Ｉ）テレビ受像機の設定に連動した情報表示
テレビ受像機２側から現在表示中のチャンネル情報や出力中の音声モードなどの設定情報をコンピュータ３側へ送信し、情報表示プログラムがその視聴内容によって表示する情報を変更することで、視聴中の番組に連動した情報を表示する。
（テレビ受像機）表示状態変更
（テレビ受像機）表示状態変更通知
（コンピュータ）表示情報変更
【０１０４】
・テレビ受像機２側の処理
テレビ受像機２内において設定されている情報が変更されたとき、該設定情報をコンピュータ３へ送信する。前記設定情報は、チャネル情報、１６：９ワイド表示などの画面モード、コントラスト、黒レベルなどの色設定情報、デジタル放送における予約番組、タイマー設定など、ユーザにより変更可能な設定情報だけでなく、音声多重放送／ステレオ放送／モノラル放送などの音声モード、ＨＤ放送／ＳＤ放送の種別など放送内容によって変更される設定情報を含み、また、番組表画面においてカーソルで選択されている番組など現在表示中の映像音声に関わる情報など、テレビ受像機内の記憶領域に保持されている各種設定情報が含まれる。
【０１０５】
・コンピュータ３側の処理
受信した前記設定情報に基づいて、情報表示プログラムは表示中の情報内容を変更する。たとえば、２ヶ国語放送の映画を視聴しているとき、テレビ受像機２から受信したチャンネル情報により、情報表示プログラムは、電子番組表から該映画を特定し、日本語と英語の字幕データを、ネットワークを介して取得する。ここで、受信した音声モードが音声多重放送でかつ主音声が選択されている場合は取得した英語の字幕を表示し、副音声が選択されている場合は日本語の字幕を表示する。また、ＣＭ中は音声モードがステレオ放送に切換わるが、その際には字幕表示を一時中断し、音声多重放送に戻ると同時に字幕表示を再開させることができるため、ユーザは複雑な操作をすることなく、視聴中の内容に合わせた字幕表示が受けられる。
【０１０６】
コンピュータ３の起動を、テレビ受像機２側の入力操作で行わせるためには、テレビ受像機２またはリモコン装置７に起動する操作入力を与え、テレビ受像機２からＵＳＢライン６を介してコンピュータ３を再起動させればよい。外部からの通信によるコンピュータ３の起動は、たとえば、コンピュータ３を使用していない場合でも、完全に電源ＯＦＦせずに、サスペンドや休止状態（ハイバネーション）といった省電力状態にしておくことで実現できる。また、電源ＯＦＦからの起動として、ＷＯＭ（Wake On Modem）、ＷＯＬ（
Wake On LAN）などの技術を利用することも可能である。コンピュータ３がテレビ受像機２から起動できれば、両機器の電源を入れる操作の手間が省けるだけでなく、コンピュータ３が離れた場所に設置されていても、遠隔的に作動させて、情報を収集させることができるようになる。
【０１０７】
ＥＰＧの取得とおすすめ番組の表示をコンピュータ３側で可能とするために、たとえば１日に２回、インターネットからデータを受信することによって、最新の番組情報を受信する。前述の（Ｃ）のタイミングで、チャネルを変更した時刻、チャネルとその時に放送された番組情報を記録する（視聴ログ）。ＥＰＧ受信直後のタイミングで視聴ログを解析し、どの番組をどの程度視聴していたかを知ることができる。たとえば５０％以上視聴した番組と同じタイトルを持つ番組を受信したＥＰＧから検索することで、おすすめ番組を抽出することができる。おすすめ番組表は、ＩＴモードの特定のチャネルに割り当てられており、当日のおすすめ番組を列挙して表示する。
【０１０８】
以下、図５〜図１３で、前述の（Ａ）〜（Ｇ）を実行するための処理手順を、テレビ受像機２側とコンピュータ３側とに分けて示す。
【０１０９】
図５は、テレビ受像機２がリモコン装置７へのキー操作に対応する制御コード受信時の概略的な処理手順を示す。ステップａ０でリモコン装置へのキー操作に対応する操作コードがテレビ受像機２のリモコンインタフェース１７に受信されると、表示プロセッサ１０または電源制御用マイコンは、ステップａ１でキーの種類が電源キー５０であるか否かを判断する。電源キー５０であれば、ステップａ２でＵＳＢライン６を介してコンピュータ３に電源変更通知を発信し、ステップａ３でテレビ受像機２の電源状態を変更する。ステップａ１で電源キー５０ではないと判断するときは、ステップａ４で、キーの種類がＴＶモードでのチャネルダイレクトキー５１やチャネル送りキー５３、音声切換キー５５や音量キー５６のようなチャネル、音声に関するものであるか否かを判断する。チャネル、音声に関するキー操作であれば、ステップａ５で、テレビ受像機２のチャネル、音声電源状態を変更し、ステップａ６でＵＳＢライン６を介してコンピュータ３にチャネル、音声変更通知を発信する。ステップａ４でチャネル、音声に関するキー操作ではないと判断するときは、ステップａ７で、キーの種類が入力切換キー５４であるか否かを判断する。入力切換キー５４であれば、ステップａ８でテレビ受像機２の画面変更を、前述の（Ｄ）に示すように行い、ステップａ９で画面状態遷移通知をＵＳＢライン６を介してコンピュータ３に発信する。ステップａ７で入力切換キー５４でないと判断するときは、ステップａ１０で、リモコン受信通知をＵＳＢライン６を介してコンピュータ３に発信する。ステップａ３、ステップａ６、ステップａ９またはステップａ１０が終了すると、ステップａ１１で待機状態へ遷移する。
【０１１０】
図６は、テレビ受像機２がコンピュータ３からの状態変更要求受信時に行う概略的な処理手順を示す。ステップｂ０で、ＵＳＢライン６を介してシリアルインタフェース１６が状態変更要求を受信すると、表示プロセッサ１０は、ステップｂ１で、遷移可能な状態であるか否かを判断する。遷移可能と判断すると、ステップｂ２で状態変更を行い、ステップｂ３では、状態変更に成功したことを示すレスポンスを、ＵＳＢライン６を介してコンピュータ３に発信する。ステップｂ１で、遷移可能ではないと判断すると、ステップｂ４で状態変更に失敗したことを示すレスポンスを、ＵＳＢライン６を介してコンピュータ３に発信する。ステップｂ３またはステップｂ４が終了すると、ステップｂ５で待機状態へ遷移する。
【０１１１】
図７は、テレビ受像機２がコンピュータ３からの情報送信要求受信時に行う概略的な処理手順を示す。この手順は、前述の（Ｈ）に対応する。ステップｃ０で、ＵＳＢライン６を介してシリアルインタフェース１６が情報送信要求を受信すると、表示プロセッサ１０は、ステップｃ１で、要求された情報を送信し、ステップｃ２で待機状態へ遷移する。
【０１１２】
図８は、コンピュータ３を動作させるプログラムの構成を示す。表示プログラム６０は、ＩＴモードで動作するための基本的なアプリケーションプログラムである。新着取得プログラム６１，６２，…は、電子メールが新着する際の処理を行う。電子メールには、一般的な電子メールと、情報取得のための電子メールとが含まれる。情報取得のための電子メールは、天気予報、交通情報、株価情報、スポーツ情報など、予め情報として提供するサービスを受けるように設定しておくことで、配信される。
【０１１３】
図９は、コンピュータ３の電源変更受信時の概略的な処理手順を示す。ステップｄ０では、図５のステップａ２でテレビ受像機２側からＵＳＢライン６を介して発信される電源変更通知を受信する。ステップｄ１では、電源変更通知の内容を調べる。ステップｄ２では、電源変更通知が電源ＯＦＦからＯＮへの変更か否かを判断する。ＯＦＦからＯＮへの変更であれば、ステップｄ３で休止状態から復帰する。ステップｄ２で、ＯＦＦからＯＮへの変更ではない、すなわちＯＮからＯＦＦへの変更であると判断するときは、ステップｄ４で休止状態へ遷移する。ステップｄ３またはステップｄ４の終了後、ステップｄ５で待機状態へ遷移する。
【０１１４】
図１０は、コンピュータ３の画面状態通知受信時の概略的な処理手順を示す。ステップｅ０では、図５のステップａ８でテレビ受像機２側からＵＳＢライン６を介して発信される画面変更の通知を受信する。ステップｅ１では、画面変更通知に従って、出力画像を変更する。ステップｅ２で待機状態へ遷移する。
【０１１５】
図１１は、コンピュータ３側で、テレビ受像機２が図５のステップａ６でＵＳＢライン６を介して送信するチャネル．音声変更通知を受信する際の処理を概略的に示す。ステップｆ０で変更通知を受信すると、ステップｆ１では視聴対象となる番組情報をインターネットを介して取得する。ステップｆ２では、取得した情報を表示するための表示画像を作成する。ステップｆ３では、他の通知があるか否かを判断する。他の通知がなければ、ステップｆ４でコンピュータ３からＵＳＢライン６を介してテレビ受像機２に状態変更要求を行う。ステップｆ５では、テレビ受像機２側が図６に示す手順で行うレスポンスをコンピュータ３がＵＳＢライン６を介して受信する。ステップｆ６では、レスポンスによって状態変更要求が成功か否かを判断する。成功と判断するときは、ステップｆ７でチャネル表示画像出力を行い、変更したチャネルの表示を行わせる。音声変更通知の場合は、音量の変化を表示する。ステップｆ８では、一定の時間、たとえば３秒間、待機する。この時間は、コンピュータ３のプログラムでの設定で変更を可能にしておく。ステップｆ９では、再び状態変更要求をコンピュータ３からＵＳＢライン６を介してテレビ受像機２に行う。ステップｆ１０でテレビ受像機２からのレスポンスを受信する。変更した表示を元に戻すことになるので、レスポンスが失敗となることはない。ステップｆ１１では、チャネル表示画像出力の停止を行う。ステップｆ３で他の通知があると判断するとき、ステップｆ６で成功ではないと判断するとき、またはステップｆ１１が終了すると、ステップｆ１２で待機状態へ移行する。
【０１１６】
図１２は、コンピュータ３がインターネットからの新着情報受信の際の処理手順を概略的に示す。ステップｇ０で、電子メールやインターネット上の放送などで新着情報がコンピュータ３に到着すると、ステップｇ１で、情報の種別に応じて、図８の新着取得プログラム６１，６２，…のいずれかが起動され、新着情報通知用の表示画像が作成される。ステップｇ２では、コンピュータ３からＵＳＢライン６を介してテレビ受像機２に状態変更要求を行う。ステップｇ３では、コンピュータ３がＵＳＢライン６を介して、テレビ受像機２からのレスポンスを受信する。ステップｇ４では、レスポンスが成功であるか否かを判断する。成功と判断するときは、ステップｇ５で図８の表示プログラム６０を起動し、ステップｇ６で表示用出力画像を出力する。次にステップｇ７で、たとえば３０秒間待機する。この３０秒の時間も、コンピュータ３上のプログラムで設定することによって、変更可能である。待機後、ステップｇ８では、状態変更要求を行い、ステップｇ９ではレスポンスを受信市、ステップｇ１０で表示画像出力の停止を行う。ステップｇ４で成功ではないと判断するとき、またはステップｇ１０が終了すると、ステップｇ１１で待機状態へ移行する。
【０１１７】
図１３は、コンピュータ３がＵＳＢライン６を介して、テレビ受像機２から、図５のステップａ１０で行われるリモコン受信通知を受信する際の処理手順を概略的に示す。ステップｈ０で、リモコン受信通知を受信すると、ステップｈ１で、ＩＴモードの種別を判別する。ステップｈ２では、種別に応じた表示画像が作成される。ステップｈ３では、コンピュータ３からＵＳＢライン６を介してテレビ受像機２に状態変更要求を行う。ステップｈ４では、コンピュータ３がＵＳＢライン６を介して、テレビ受像機２からのレスポンスを受信する。ステップｈ５では、レスポンスが成功であるか否かを判断する。成功と判断するときは、ステップｈ６で表示用出力画像を出力する。ステップｈ５で成功ではないと判断するとき、またはステップｈ６が終了すると、ステップｈ７で待機状態へ移行する。
【０１１８】
図１４、図１５および図１６は、図１３のステップｈ１でのＩＴモード種別判定後に、ステップｈ２で作成する表示画像の例を示す。
【０１１９】
図１４は、おすすめ番組表の表示例を示す。おすすめ番組表は、図１４（ａ）に示すように、表示パネル１３の表示領域でのＰｉｎＰ表示７０として表示される。ＰｉｎＰ表示７０は、画面全体で親画面７１を表示し、親画面７１上に子画面７２を表示する。ただし、子画面７２には半透明性を持たせ、親画面７１もある程度は透けて見えるようにする。このようなＰｉｎＰ表示７０を実現するためには、たとえば図１４（ｂ）に示すような表示領域設定を行う。おすすめ番組表の子画面７２は、たとえばリモコン装置７のモード切換ＳＷ５１をＩＴ側に切換えておいてチャネルダイレクトキー５１で「１」を押し、ＩＴモードでの１チャネルを選択することによって作成される。子画面７２には、番組を紹介する文字情報を表示し、半透明性を持たせるために、α値を５０に設定する。
【０１２０】
図１５は、天気予報の表示例を示す。天気予報は、図１５（ａ）に示すように、表示パネル１３の表示領域でのＰｉｎＰ表示８０として表示される。ＰｉｎＰ表示８０は、画面全体で親画面８１を表示し、親画面８１上に子画面８２を表示する。ただし、親画面８１を文字による天気予報の表示とし、その上に子画面８２としてテレビジョン放送の番組の映像を表示する。このようなＰｉｎＰ表示８０を実現するためには、たとえば図１５（ｂ）に示すような表示領域設定を行う。天気予報の親画面８１は、たとえばリモコン装置７のモード切換ＳＷ５１をＩＴ側に切換えておいてチャネルダイレクトキー５１で「２」を押し、ＩＴモードでの２チャネルを選択することによって作成される。親画面８１には、天気予報の文字情報を表示し、その上に大きな子画面８２を、たとえば放送の４チャネルの映像を表示するように設定する。子画面８２のα値は０に設定する。映像の周辺に天気予報が表示される状態となる。
【０１２１】
図１６は、新着メール情報の表示例を示す。新着メール情報は、図１６（ａ）に示すように、表示パネル１３の表示領域でのＰｉｎＰ表示９０として表示される。ＰｉｎＰ表示９０は、画面全体で親画面９１と子画面９２および子画面９３とを表示する。親画面８１を放送番組の映像の表示とし、その上に子画面９２として、たとえば図１４の子画面７２と同様なおすすめ番組表を表示する。さらに親画面９１の上部に、子画面９３を表示し、新着メール情報の文字画像を表示する。すなわち、図１４のようなおすすめ番組表の表示状態で、新着メールが到着すると、ＰｉｎＰ表示９０に移行する。
【０１２２】
このようなＰｉｎＰ表示９０を実現するためには、たとえば図１６（ｂ）に示すような表示領域設定を行う。子画面９２および子画面９３は、全画面を子画面として、α値を１００とする透明領域の内部にα値が５０である半透明領域を形成することによって表示する。
【０１２３】
以上のような表示では、テレビ受像機２が受信中のテレビジョン放送の番組に関連する情報を収集して表示させることもできる。番組を識別するチャネル情報をテレビ受像機２からコンピュータ３に送信して、情報を収集させればよい。そのような場合、チャネルが連続して切換えられると、情報を収集して画面を変化させても、キーの操作に追いつかない可能性がある。このような場合の対策としては、テレビ受像機２側で状態変更要求を拒否することと、コンピュータ３側で状態変更要求をキャンセルすることとがある。テレビ受像機２側の対策では、リモコン装置７から受信する制御コードをバッファリングし、コンピュータ３側からの状態変更要求を伴うキー（チャネル、音声変更など）があれば、状態変更要求を受信しても、レスポンスとして失敗を返すようにする。また、コンピュータ３側の対策では、テレビ受像機２側からの通知（リモコン、音声変更通知）をバッファリングし、状態変更要求送信直前に、通知が存在することを検知した場合は、状態変更要求の送信をキャンセルする。コンピュータ３側の他の対策として、コンピュータ３は状態変更要求送信直前に、テレビ受信機２に対して表示中のチャネルを要求し、レスポンスとして返信されてきたチャネルと、送信しようとする関連情報の収集キーワードとしてのチャンネルが一致しているかをチェックし、一致しない場合は状態変更要求の送信をキャンセルする。このようにして、コンピュータ３は、テレビジョン受像機２から送信されるチャネル情報に対応する番組の視聴が維持されている条件で、情報を検索し、取得した情報に基づく画像情報の生成を行うことができる。ユーザは、コンピュータ３がチャネル情報に対応する番組に関連する情報を収集している間に、一時的に他の番組を受信しても、元の番組に戻せば、視聴する番組の映像と関連する画像情報とを併せて表示させることができる。
【０１２４】
また、ユーザは、テレビ受像機２で受信中のテレビジョン放送の番組とは異なる番組に関連する情報の収集をコンピュータ３に行わせ、裏番組の情報などを、画面に併せて表示させることもできる。このような、テレビ受像機２で受信中のテレビジョン放送の番組とは異なる番組に関連する情報の収集は、その異なる番組を識別するチャネル情報をテレビ受像機２からコンピュータ３に送信して行わせることができる。さらに、番組とは関係がない、たとえばスポーツの試合などの途中経過や結果、株価情報などを、適宜収集して表示させることもできる。
【図面の簡単な説明】
【０１２５】
【図１】本発明の実施の一形態であるテレビジョン情報表示システム１の概略的な電気的構成を示すブロック図である。
【図２】図１のテレビジョン情報表示システム１を、機能的な構成で示すブロック図である。
【図３】図１のテレビ受像機２の表示パネル１３で表示可能な２画面表示の例を示す図である。
【図４】図１のリモコン装置７の外観構成を示す正面図である。
【図５】図１のテレビ受像機２のリモコンキー受信時の概略的な処理手順を示すフローチャートである。
【図６】図１のテレビ受像機２の状態変更要求受信時の概略的な処理手順を示すフローチャートである。
【図７】図１のテレビ受像機２の情報送信要求受信時の概略的な処理手順を示すフローチャートである。
【図８】図１のコンピュータ３を動作させるプログラムの構成を示す図である。
【図９】図１のコンピュータ３の電源変更受信時の概略的な処理手順を示すフローチャートである。
【図１０】図１のコンピュータ３の画面状態通知受信時の概略的な処理手順を示すフローチャートである。
【図１１】図１のコンピュータ３のチャネル、音声変更通知受信時の概略的な処理手順を示すフローチャートである。
【図１２】図１のコンピュータ３の新着情報受信時の概略的な処理手順を示すフローチャートである。
【図１３】図１のコンピュータ３のリモコン受信通知受信時の概略的な処理手順を示すフローチャートである。
【図１４】図１のテレビ受像機２でのおすすめ番組表の表示例とその表示領域設定例とを示す図である。
【図１５】図１のテレビ受像機２での天気予報の表示例とその表示領域設定例とを示す図である。
【図１６】図１のテレビ受像機２での新着情報の表示例とその表示領域設定例とを示す図である。
【符号の説明】
【０１２６】
１  テレビジョン情報表示システム
２  テレビ受像機
３  コンピュータ
４  情報通信線
５  画像入力線
６  ＵＳＢライン
７  リモコン装置
８  ネットワーク接続線
１０  表示プロセッサ
１３  表示パネル
１４  チューナ
１６，２３  シリアルインタフェース
２０  ＣＰＵ
２１  ネットワークインタフェース
２２  ビデオインタフェース
２５  情報表示手段
２６  放送受信手段
２７，３４  情報通信部
３１  情報収集手段
３２  映像生成手段
３３  映像出力手段
４０，７０，８０，９０  ＰｉｎＰ画面
４３  ＰｂｙＰ画面
５０  電源キー
５１  モード切換ＳＷ
５２  チャネルダイレクトキー
５３  チャネル送りキー
５４  入力切換キー
５５  音声切換キー
５６  音量キー
６０  表示プログラム
６１，６２，…  新着取得プログラム
【図１】
2006333101.tif 000003
【図２】
2006333101.tif 000004
【図３】
2006333101.tif 000005
【図４】
2006333101.tif 000006
【図５】
2006333101.tif 000007
【図６】
2006333101.tif 000008
【図７】
2006333101.tif 000009
【図８】
2006333101.tif 000010
【図９】
2006333101.tif 000011
【図１０】
2006333101.tif 000012
【図１１】
2006333101.tif 000013
【図１２】
2006333101.tif 000014
【図１３】
2006333101.tif 000015
【図１４】
2006333101.tif 000016
【図１５】
2006333101.tif 000017
【図１６】
2006333101.tif 000018